Podtech/llm-jp-corpus-v4-ja_patent huggingface dataset:
【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
ヒルガオ科アサガオカラクサ属植物(Evolvulus)の抽出物と、黒米抽出物の加水分解物とを含有することを特徴とする、毛髪用の皮膚外用剤。
【請求項２】
アサガオカラクサ属植物がアサガオカラクサ (Evolvulus alsinoides L.)、シロガネカラクサ（Evolvulus boninensis）、マルバアサガオカラクサ（Evolvulus rotundifolia）、エボルブラス グロメラタス（Evolvulus glomeratus）、エボルブラス アルシノイデス
バー グリセバチアヌス（Evolvulus alsinoides var grisebachianus）、エボルブラス ピロサス（Evolvulus pilosus）、エボルブラス アルブスキュラ カナス（Evolvulus arbusculassp. Canus）、エボルブラス ヌムラリアス（Evolvulus nummularius）、エボルブラス セリセウス バー ホロセリセウス（Evolvulus serisceus var holosericeus）の一種又は二種以上から選ばれることを特徴とする、請求項１に記載の毛髪用の皮膚外用剤。
【請求項３】
アサガオカラクサ属植物の抽出物を、皮膚外用剤全量に対して、固形分として、０．０００１質量％〜１質量％含有することを特徴とする、請求項１又は２に記載の毛髪用の皮膚外用剤。
【請求項４】
黒米抽出物の加水分解物を、皮膚外用剤全量に対して、固形分として、０．０００１質量％〜１質量％含有することを特徴とする、請求項１〜３の何れか1項に記載の毛髪用の皮膚外用剤。
【請求項５】
アサガオカラクサ属植物の抽出物と黒米抽出物の加水分解物とを、固形分の質量比５０：１〜１：５０で含有することを特徴とする、請求項１〜４の何れか1項に記載の毛髪用の皮膚外用剤。
【請求項６】
育毛用であることを特徴とする、請求項１〜５の何れか1項に記載の毛髪用の皮膚外用剤。
【手続補正２】
【補正対象書類名】明細書
【補正対象項目名】０００９
【補正方法】変更
【補正の内容】
【０００９】
本発明のアサガオカラクサ属植物の抽出物は、毛髪用の皮膚外用剤に含有させることにより、その育毛効果を発揮し、禿・薄毛・脱毛等の予防改善に優れている。本発明の毛髪用の皮膚外用剤における、アサガオカラクサ属植物の抽出物の好ましい含有量は、皮膚外用剤全量に対して、固形分として、０．０００１質量％〜１質量％であり、更に好ましくは０．００１質量％〜０．５質量％である。これは、少なすぎると育毛効果が発揮されない場合があり、多すぎても効果が頭打ちになり他の処方成分の自由度を損なうことがあるからである。
【手続補正３】
【補正対象書類名】明細書
【補正対象項目名】００１８
【補正方法】変更
【補正の内容】
【００１８】
前記した黒米抽出物の加水分解物は、一般にはｐＨを４〜８に調整した上、これをそのまま皮膚外用剤に配合してもよく、又必要ならば減圧濃縮等により所定の濃度に調整した上で皮膚外用剤に配合してもよい。又場合によっては、スプレードライ法、凍結乾燥法等常法に従って粉末化したものを皮膚外用剤に配合することもできる。
【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
ヒルガオ科アサガオカラクサ属植物(Evolvulus)の抽出物と、ノウゼンカズラ科タベブイア属タベブイアインペティギノーサ（Tabebuia impetiginosa）樹皮抽出物とを含有することを特徴とする、毛髪用の皮膚外用剤。
【請求項２】
アサガオカラクサ属植物がアサガオカラクサ (Evolvulus alsinoides L.)、シロガネカラクサ（Evolvulus boninensis）、マルバアサガオカラクサ（Evolvulus rotundifolia）、エボルブラス グロメラタス（Evolvulus glomeratus）、エボルブラス アルシノイデス
バー グリセバチアヌス（Evolvulus alsinoides var grisebachianus）、エボルブラス ピロサス（Evolvulus pilosus）、エボルブラス アルブスキュラ カナス（Evolvulus arbusculassp. Canus）、エボルブラス ヌムラリアス（Evolvulus nummularius）、エボルブラス セリセウス バー ホロセリセウス（Evolvulus serisceus var holosericeus）の一種又は二種以上から選ばれることを特徴とする、請求項１に記載の毛髪用の皮膚外用剤。
【請求項３】
アサガオカラクサ属植物の抽出物を、皮膚外用剤全量に対して、固形分として、０．０００１質量％〜１質量％含有することを特徴とする、請求項１又は２に記載の毛髪用の皮膚外用剤。
【請求項４】
ノウゼンカズラ科タベブイア属タベブイアインペティギノーサ（Tabebuia impetiginosa）樹皮抽出物を、皮膚外用剤全量に対して、固形分として、０．００００１質量％〜０．１質量％含有することを特徴とする、請求項１〜３の何れか1項に記載の毛髪用の皮膚外用剤。
【請求項５】
アサガオカラクサ属植物の抽出物とノウゼンカズラ科タベブイア属タベブイアインペティギノーサ樹皮抽出物とを、固形分の質量比５０：１〜１：５０で含有することを特徴とする、請求項１〜４の何れか1項に記載の毛髪用の皮膚外用剤。
【請求項６】
育毛用であることを特徴とする、請求項１〜５の何れか1項に記載の毛髪用の皮膚外用剤。
【手続補正２】
【補正対象書類名】明細書
【補正対象項目名】０００９
【補正方法】変更
【補正の内容】
【０００９】
本発明のアサガオカラクサ属植物の抽出物は、毛髪用の皮膚外用剤に含有させることにより、その育毛効果を発揮し、禿・薄毛・脱毛等の予防改善に優れている。本発明の毛髪用の皮膚外用剤における、アサガオカラクサ属植物の抽出物の好ましい含有量は、皮膚外用剤全量に対して、固形分として、０．０００１質量％〜１質量％であり、更に好ましくは０．００１質量％〜０．５質量％である。これは、少なすぎると育毛効果が発揮されない場合があり、多すぎても効果が頭打ちになり他の処方成分の自由度を損なうことがあるからである。
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
（Ａ）水酸基またはアルコキシ基が結合したケイ素原子を１分子中に少なくとも２個有するフェニルメチルシリコーンと、（Ｂ）１分子中に３個以上の水酸基またはアルコキシ基を有しケイ素原子に結合した有機基がメチル基であるシランまたはシロキサン化合物と、（Ｃ）Ｇａ化合物およびＺｒ化合物と、を含む混合物であり、ケイ素原子に結合したフェニル基とメチル基をモル比２：８〜４．５：５．５（フェニル基モル数：メチル基モル数）で含有する熱硬化性シリコーン組成物。
【請求項２】
上記（Ａ）のフェニルメチルシリコーンが線状シリコーンである、請求項１に記載の熱硬化性シリコーン組成物。
【請求項３】
上記（Ａ）のフェニルメチルシリコーンが、水酸基が結合したケイ素原子を両末端に有するジフェニルジメチルシリコーンである、請求項１又は２に記載の熱硬化性シリコーン組成物。
【請求項４】
上記（Ａ）のフェニルメチルシリコーンと上記（Ｂ）のシランまたはシロキサン化合物の混合比が、フェニルメチルシリコーン１００重量部に対してシランまたはシロキサン化合物０．１〜１０重量部である、請求項１〜３のいずれか一項に記載の熱硬化性シリコーン組成物。
【請求項５】
上記（Ａ）のフェニルメチルシリコーンと上記（Ｂ）のシランまたはシロキサン化合物との縮合物を含有する、請求項１〜４のいずれか一項に記載の熱硬化性シリコーン組成物。
【請求項６】
上記Ｇａ化合物がＧａ（ａｃａｃ）３を含み、上記Ｚｒ化合物がＺｒ（ａｃａｃ）４又はＺｒＯ（２−ｅｔｈｙｌｈｅｘａｎｏａｔｅ）２を含む、請求項１〜５のいずれか一項に記載の熱硬化性シリコーン組成物。
【請求項７】
少なくとも上記（Ａ）のフェニルメチルシリコーン及び上記（Ｂ）のシランまたはシロキサン化合物の何れか一方を含み、上記Ｇａ化合物および上記Ｚｒ化合物を含有する液と混合することにより、請求項１〜６のいずれか一項に記載の熱硬化性シリコーン組成物となる液。
【請求項８】
請求項７記載の液と混合することにより、請求項１〜６のいずれか一項に記載の熱硬化
性シリコーン組成物となる液であって、水酸基が結合したケイ素原子を両末端に有しフェニル基とメチル基をモル比２：８〜４．５：５．５（フェニル基モル数：メチル基モル数）で含有するジフェニルジメチルシリコーンを含有する液。
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
少なくともシリコンナフタロシアニンまたはその誘導体と界面活性剤とから構成されたナノ粒子であって、前記界面活性剤を除いた前記ナノ粒子の構成要素に対する前記シリコンナフタロシアニンまたはその誘導体の比率が重量比で７０％以上であることを特徴とするナノ粒子。
【請求項２】
前記界面活性剤を除いた前記ナノ粒子の構成要素に対する前記シリコンナフタロシアニンまたはその誘導体の比率が重量比で９６％以上であることを特徴とする請求項１に記載のナノ粒子。
【請求項３】
前記シリコンナフタロシアニンまたはその誘導体は、化学式１で示されることを特徴とする請求項１または２に記載のナノ粒子。
【化１】
2014129317.tif 000001
（式中、R201、R202、R203、R204、R205、R206、R207、R208、R209、R210、R211、R212、R213、R214、R215、R216、R217、R218、R219、R220、R221、R222、R223、R224は各々が同一でも異なっていてもよく、水素原子、ハロゲン原子、アセトキシ基、アミノ基、ニトロ基、シアノ基、または、炭素数１〜１８のアルキル基若しくは芳香族基であってハロゲン原子、アセトキシ基、アミノ基、ニトロ基、シアノ基、又は炭素数１〜１８のアルキル基から選択される一若しくは複数の官能基で置換されているか若しくは未置換のものを表す。
また、R101、R102は各々が同一でも異なっていてもよく、−ＯＨ、−ＯＲ１１、−ＯＣＯＲ１２、−ＯＳｉ（−Ｒ１３）（−Ｒ１４）（−Ｒ１５）、ハロゲン原子、アセトキシ基、アミノ基、ニトロ基、シアノ基または、炭素数１〜１８のアルキル基若しくは芳香族基であってハロゲン原子、アセトキシ基、アミノ基、ニトロ基、シアノ基、又は炭素数１〜１８のアルキル基から選択される一若しくは複数の官能基で置換されているか若しくは未置換のものを表す。
ここで、Ｒ１１、Ｒ１２、Ｒ１３、Ｒ１４、Ｒ１５は各々が同一でも異なっていてもよく、ハロゲン原子、アセトキシ基、アミノ基、ニトロ基、シアノ基、又は炭素数１〜１８のアルキル基から選択される一若しくは複数の官能基で置換されているか若しくは未置換のものを表す。）
【請求項４】
前記シリコンナフタロシアニンまたはその誘導体は、シリコン  ２，３−ナフタロシアニン  ビス（トリヘキシルシリルオキシド）（Ｓｉｌｉｃｏｎ  ２，３−ｎａｐｈｔｈａｌｏｃｙａｎｉｎｅ  ｂｉｓ  （ｔｒｉｈｅｘｙｌｓｉｌｙｌｏｘｉｄｅ））、シリコン  ２，３−ナフタロシアニン  ジヒドロオキサイド（Ｓｉｌｉｃｏｎ  ２，３−ｎａｐｈｔｈａｌｏｃｙａｎｉｎｅ  ｄｉｏｃｔｙｌｏｘｉｄｅ）、シリコン  ２，３−ナフタロシアニン  ジクロリド（Ｓｉｌｉｃｏｎ  ２，３−ｎａｐｈｔｈａｌｏｃｙａｎｉｎｅ  ｄｉｃｈｌｏｒｉｄｅ）、ビス（ジイソブチル  オクタデシルシロキシ）シリコン  ２，３−ナフタロシアニン（Ｂｉｓ  （ｄｉ−ｉｓｏｂｕｔｙｌ  ｏｃｔａｄｅｃｙｌｓｉｌｏｘｙ）  ｓｉｌｉｃｏｎ  ２，３−ｎａｐｈｔｈａｌｏｃｙａｎｉｎｅ）  （ｉｓｏＢＯＳＩＮＣ）のいずれかであることを特徴とする請求項１に記載のナノ粒子。
【請求項５】
平均粒径が５ｎｍ以上２００ｎｍ以下であることを特徴とする請求項１乃至４のいずれか１項に記載のナノ粒子。
【請求項６】
平均粒径が５ｎｍ以上２８ｎｍ以下であることを特徴とする請求項１乃至５のいずれか１項に記載のナノ粒子。
【請求項７】
造影剤として用いられるものであることを特徴とする請求項１乃至６のいずれか１項に記載のナノ粒子。
【請求項８】
光音響イメージング法の造影剤として用いられるものであることを特徴とする請求項１乃至７のいずれか１項に記載のナノ粒子。
【請求項９】
前記界面活性剤が化学式２で示されることを特徴とする請求項１乃至８のいずれか１項に記載のナノ粒子。
【化２】
2014129317.tif 000002
化学式２において、Ｒ２１乃至Ｒ２４はそれぞれ独立に、−Ｈ、−ＯＣＲ’から選択される。前記Ｒ’は炭素数１乃至１８の、飽和または不飽和アルキル基である。また、化学式２において、ｗ、ｘ、ｙ、ｚは、ｗとｘとｙとｚの総和が１０乃至３０となる整数である。
【請求項１０】
さらに標的部位に特異的に結合する捕捉分子を有することを特徴とする請求項１乃至９のいずれか１項に記載のナノ粒子。
【請求項１１】
前記捕捉分子が一本鎖抗体であることを特徴とする請求項１０に記載のナノ粒子。
【請求項１２】
前記一本鎖抗体が配列番号２で表わされるアミノ酸配列を有することを特徴とする請求項１１に記載のナノ粒子。
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
インドシアニングリーン（ＩＣＧ）のＪ会合体と正帯電部位を有する脂質とを有する粒子であって、前記粒子の、波長８９５ｎｍの光の吸光度と７８０ｎｍの光の吸光度との比率（波長８９５ｎｍの光の吸光度／７８０ｎｍの光の吸光度）が０．１以上であることを特徴とする粒子。 
【請求項２】
前記粒子の表面に界面活性剤を有することを特徴とする請求項１に記載の粒子。
【請求項３】
前記脂質はリン脂質であり、前記リン脂質が二重膜を形成していることを特徴とする、請求項１または２に記載の粒子。
【請求項４】
前記脂質が前記粒子に占める割合は３０重量％以上であることを特徴とする請求項１〜３のいずれか１項に記載の粒子。
【請求項５】
前記脂質はリン酸ジエステル結合を有する脂質であることを特徴とする請求項１〜４のいずれか１項に記載の粒子。
【請求項６】
前記粒子の表面にポリエチレングリコールを有することを特徴とする請求項１〜５のいずれか１項に記載の粒子。
【請求項７】
請求項１〜６のいずれか１項に記載の粒子と、前記粒子が分散された分散媒とを有することを特徴とする光イメージング用の造影剤。
【請求項８】
ＩＣＧのＪ会合体を含む粒子を有する粒子であって、前記粒子の、波長８９５ｎｍの光の吸光度と７８０ｎｍの光の吸光度との比率（波長８９５ｎｍの光の吸光度／７８０ｎｍの光の吸光度）が０．１以上であることを特徴とするリンパ節用造影剤。
【請求項９】
リン脂質と、コレステロールと、インドシアニングリーンとを含む粒子であって、前記粒子の７８０ｎｍにおける吸光度に対する７００ｎｍにおける吸光度は１以上であることを特徴とする粒子。
【請求項１０】
さらにデキストランを含むことを特徴とする請求項９に記載の粒子。
【請求項１１】
前記デキストランの分子量が４０ｋＤａ〜７０ｋＤａであることを特徴とする請求項１０に記載の粒子。
【請求項１２】
血清溶液中で３７℃で２４時間インキュベートした際のＩＣＧ保持率は６０％以上であることを特徴とする請求項９〜１１のいずれか１項に記載の粒子。
【請求項１３】
前記粒子は前記リン脂質が二重膜を形成してなるリポソームであることを特徴とする請求項９〜１２のいずれか１項に記載の粒子。
【請求項１４】
前記粒子の平均粒径は２０から２００ｎｍであることを特徴とする請求項９〜１３のいずれか１項に記載の粒子。
【請求項１５】
前記リン脂質はジステアロイルホスファチジルコリン（ＤＳＰＣ）であることを特徴とする請求項９〜１４のいずれか１項に記載の粒子。
【請求項１６】
前記粒子の表面にポリエチレングリコールを有することを特徴とする請求項９〜１５のいずれか１項に記載の粒子。
【請求項１７】
リン脂質、コレステロールおよびインドシアニングリーンを含む原料を有機溶媒に溶解する工程と、
前記有機溶媒を除去して乾固した後に前記原料を水系媒体に分散させる、又は滴下することで、前記リン脂質、前記コレステロールおよび前記インドシアニングリーンを含む粒子を取得する工程と、を含む粒子の製造方法であって、
前記水系媒体は、１.５重量％以上のデキストランを含む溶液であることを特徴とする粒子の製造方法。
【請求項１８】
前記水系媒体は、２．６重量％以上のデキストランを含む溶液であることを特徴とする請求項１７に記載の粒子の製造方法。
【請求項１９】
取得した前記粒子を中性緩衝水溶液で希釈する工程と、
孔径１μｍ以下の孔を有するフィルタで前記粒子を含む中性緩衝水溶液をろ過する工程と、超音波で前記粒子を前記中性緩衝水溶液中に分散する工程とをさらに含むことを特徴とする請求項１７または１８に記載の粒子の製造方法。
【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
その中に含浸される化粧料組成物を担持及び保持し、化粧料組成物を化粧道具へと排出するために使用されるポリエーテル系ウレタンフォームの担体。
【請求項２】
網状型構造を有する、請求項１に記載のポリエーテル系ウレタンフォームの担体。
【請求項３】
密度が１〜３ｐｃｆである、請求項１に記載のポリエーテル系ウレタンフォームの担体。
【請求項４】
７０〜１２０ｐｐｉ（１インチあたりのポア数）のポア（ｐｏｒｅ）数を有する、請求項１に記載のポリエーテル系ウレタンフォームの担体。
【請求項５】
アスカー硬度計基準で１０〜７０の硬度を有する、請求項１に記載のポリエーテル系ウレタンフォームの担体。
【請求項６】
オープンセル（ｏｐｅｎ  ｃｅｌｌ）構造を有する、請求項１に記載のポリエーテル系ウレタンフォームの担体。
【請求項７】
その中に含浸される化粧料組成物がＷ／Ｏ（油中水）型又はＯ／Ｗ（水中油）型の乳化化粧料組成物である、請求項１に記載のポリエーテル系ウレタンフォームの担体。
【請求項８】
乳化化粧料組成物が５０００〜１５０００ｃｐｓの粘度を有する乳化化粧料組成物である、請求項７に記載のポリエーテル系ウレタンフォームの担体。
【請求項９】
その中に含浸される化粧料組成物がメイクアッププライマー、メイクアップベース、ファンデーション、パウダー、ツインケーキ、リップスティック、リップグロス、アイシャドウ、アイブロウ、コンシーラー又はブラッシャーである、請求項１に記載のポリエーテル系ウレタンフォームの担体。
【請求項１０】
化粧道具が化粧料組成物を皮膚に塗布するための化粧道具である、請求項１に記載のポリエーテル系ウレタンフォームの担体。
【請求項１１】
その中に含浸させた化粧料組成物を担持及び保持するポリエーテル系ウレタンフォームの担体と、
ポリエーテル系ウレタンフォームの担体から化粧料組成物を取り出し、化粧料組成物を皮膚に塗布するための化粧道具と、
を有する化粧品。
【請求項１２】
ポリエーテル系ウレタンフォームが網状型構造を有する、請求項１１に記載の化粧品。
【請求項１３】
ポリエーテル系ウレタンフォームの密度が１〜３ｐｃｆである、請求項１１に記載の化粧品。
【請求項１４】
ポリエーテル系ウレタンフォームが７０〜１２０ｐｐｉ（１インチあたりのポア数）のポア（ｐｏｒｅ）数を有する、請求項１１に記載の化粧品。
【請求項１５】
ポリエーテル系ウレタンフォームがアスカー硬度計基準で１０〜７０の硬度を有する、請求項１１に記載の化粧品。
【請求項１６】
ポリエーテル系ウレタンフォームがオープンセル（ｏｐｅｎ  ｃｅｌｌ）構造を有する、請求項１１に記載の化粧品。
【請求項１７】
化粧料組成物がＷ／Ｏ（油中水）型又はＯ／Ｗ（水中油）型の乳化化粧料組成物である、請求項１１に記載の化粧品。
【請求項１８】
乳化化粧料組成物が５０００〜１５０００ｃｐｓの粘度を有する、請求項１７に記載の化粧品。
【請求項１９】
化粧料組成物がメイクアッププライマー、メイクアップベース、ファンデーション、パウダー、ツインケーキ、リップスティック、リップグロス、アイシャドウ、アイブロウ、コンシーラー又はブラッシャーである、請求項１１に記載の化粧品。
【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
ソルビトールを有効成分として含有する終末糖化産物生成抑制用組成物。
【請求項２】
ソルビトールを有効成分として含有する３−デオキシグルコソン生成抑制用組成物。
【請求項３】
ソルビトールを有効成分として含有する、糖尿病もしくは糖尿病合併症の予防および／または治療のための組成物。
【請求項４】
３−デオキシグルコソン生成抑制有効量のソルビトールを含有するものである、請求項３に記載の組成物。
【請求項５】
糖尿病合併症が、糖尿病網膜症、糖尿病腎症、糖尿病神経障害、糖尿病血管合併症および動脈硬化症からなる群より選ばれる１種以上の疾患である、請求項３または４に記載の組成物。
【請求項６】
糖類含有量が５ｇ以上であり、且つアミノ酸含有量および／または蛋白質含有量が２０ｇ以上である食事の食前、食中、食後および食間のいずれかに投与されるものである、請求項３〜５のいずれかに記載の組成物。
【請求項７】
錠剤、カプセル剤、顆粒剤、散剤、経口液剤、シロップ剤、経口ゼリー剤、口腔用錠剤、口腔用スプレー剤、口腔用半固形剤、含嗽剤、注射剤および吸入剤からなる群より選ばれる剤形のものである、請求項１〜６のいずれかに記載の組成物。
【請求項８】
組成物が機能性飲食品である、請求項１〜６のいずれかに記載の組成物。
【請求項９】
組成物がサプリメントである、請求項１〜７のいずれかに記載の組成物。
【請求項１０】
組成物が医薬組成物である、請求項３〜７のいずれかに記載の組成物。
【請求項１１】
非ヒト動物における糖尿病もしくは糖尿病合併症の予防および／または治療のための、ソルビトールを有効成分として含有する非ヒト動物用医薬組成物。
【請求項１２】
ソルビトールを非ヒト動物に投与することを含む、非ヒト動物における糖尿病もしくは糖尿病合併症を予防および／または治療する方法。
【請求項１３】
ソルビトールを飲食品に配合または添加することを特徴とする、機能性飲食品の製造方法。
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
マルチトールを有効成分として含有する、肝機能改善用組成物。
【請求項２】
マルチトールを有効成分として含有し、血中ＡＳＴ値及びＡＬＴ値の改善作用を特徴とする、肝機能改善用組成物。
【請求項３】
マルチトールを有効成分として含有する、肝機能障害の予防および／または治療のための組成物。
【請求項４】
アルコール性脂肪肝、非アルコール性脂肪肝、アルコール性脂肪肝炎、非アルコール性脂肪肝炎、肝硬変および肝がんからなる群より選択される肝疾患の予防および／または治療のための、請求項３に記載の組成物。
【請求項５】
脂肪含有量が１０重量％以上である食事の食前、食中、食後および食間のいずれかに投与されるものである、請求項３または４に記載の組成物。
【請求項６】
錠剤、カプセル剤、顆粒剤、散剤、経口液剤、シロップ剤、経口ゼリー剤、口腔用錠剤、口腔用スプレー剤、口腔用半固形剤および含嗽剤からなる群より選ばれる剤形のものである、請求項１〜５いずれかに記載の組成物。
【請求項７】
インスリン抵抗性改善薬、抗酸化剤、脂質異常症治療薬、肝庇護薬およびアンジオテンシンII１型受容体拮抗薬からなる群より選ばれる１種以上の薬剤をさらに含む、請求項１〜６いずれかに記載の組成物。
【請求項８】
組成物が機能性飲食品である、請求項１〜５のいずれかに記載の組成物。
【請求項９】
組成物がサプリメントである、請求項１〜６のいずれかに記載の組成物。
【請求項１０】
組成物が医薬組成物である、請求項３〜７のいずれかに記載の組成物。
【請求項１１】
動物肝臓、サメの肝油、豚肝臓の酵素分解ペプチド、ポリコサノール、葛花、Ｌ−オルニチン、ノブドウ、レスベラトロール、クルミ、クルミポリフェノール、α−リポ酸、アーティチョーク、アスタキサンチン、アスパラギン酸、アラニン、イエロードック、ウコン、牡蠣、ガジュツ、ガラナ、甘草、キョウオウ、クロレラ、グリチルリチン、高麗人参、コーヒー、ゴマリグナン、S-アデノシルメチオニン、シジミ、システイン、シリマリン、スピルリナ、チャンカピエドラ、田七人参、フェヌグリーク、セサミン、タウリン、ダンデライオン、フコイダン、マリアアザミ、ラクトフェリン、ラフィノース、霊芝、レシチンおよびローヤルゼリーからなる群より選ばれる１種以上の天然物または天然由来物質をさらに含む、請求項１〜１０いずれかに記載の組成物。
【請求項１２】
非ヒト動物における肝機能障害の予防および／または治療のための、マルチトールを有効成分として含有する非ヒト動物用医薬組成物。
【請求項１３】
マルチトールを非ヒト動物に投与することを含む、非ヒト動物における肝機能障害を予防および／または治療する方法。
【請求項１４】
マルチトールを飲食品に配合または添加することを特徴とする、機能性飲食品の製造方法。
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
マルチトールを有効成分として含有する、肝臓への脂肪蓄積抑制用組成物。
【請求項２】
マルチトールを有効成分として含有する、脂肪肝の予防および／または治療のための組成物。
【請求項３】
脂肪肝が非アルコール性脂肪肝または非アルコール性脂肪肝炎である、請求項２に記載の組成物。
【請求項４】
肥満、糖尿病、脂質異常症、高脂血症、高血圧、耐糖能異常症、メタボリックシンドローム、脂肪ジストロフィー症、βリポ蛋白欠損症、ウェーバー−クリスチャン病、ウォルマン病、妊娠性急性脂肪肝、ウィルソン病およびインド小児肝硬変からなる群より選ばれる１種以上の疾患に罹患した患者における脂肪肝の予防および／または治療のための、請求項２または３に記載の組成物。
【請求項５】
脂肪含有量が１０重量％以上である食事の食前、食中、食後および食間のいずれかに投与されるものである、請求項２〜４いずれかに記載の組成物。
【請求項６】
錠剤、カプセル剤、顆粒剤、散剤、経口液剤、シロップ剤、経口ゼリー剤、口腔用錠剤、口腔用スプレー剤、口腔用半固形剤および含嗽剤からなる群より選ばれる剤形のものである、請求項１〜５いずれかに記載の組成物。
【請求項７】
インスリン抵抗性改善薬、抗酸化剤、脂質異常症治療薬、肝庇護薬およびアンジオテンシンII１型受容体拮抗薬からなる群より選ばれる１種以上の薬剤をさらに含む、請求項１〜６いずれかに記載の組成物。
【請求項８】
組成物が機能性飲食品である、請求項１〜５のいずれかに記載の組成物。
【請求項９】
組成物がサプリメントである、請求項１〜６のいずれかに記載の組成物。
【請求項１０】
組成物が医薬組成物である、請求項２〜７のいずれかに記載の組成物。
【請求項１１】
動物肝臓、サメの肝油、豚肝臓の酵素分解ペプチド、ポリコサノール、葛花、Ｌ−オルニチン、ノブドウ、レスベラトロール、クルミ、クルミポリフェノール、α−リポ酸、アーティチョーク、アスタキサンチン、アスパラギン酸、アラニン、イエロードック、ウコン、牡蠣、ガジュツ、ガラナ、甘草、キョウオウ、クロレラ、グリチルリチン、高麗人参、コーヒー、ゴマリグナン、S-アデノシルメチオニン、シジミ、システイン、シリマリン、スピルリナ、チャンカピエドラ、田七人参、フェヌグリーク、セサミン、タウリン、ダンデライオン、フコイダン、マリアアザミ、ラクトフェリン、ラフィノース、霊芝、レシチンおよびローヤルゼリーからなる群より選ばれる１種以上の天然物または天然由来物質をさらに含む、請求項１〜１０いずれかに記載の組成物。
【請求項１２】
非ヒト動物における脂肪肝の予防および／または治療のための、マルチトールを有効成分として含有する非ヒト動物用医薬組成物。
【請求項１３】
マルチトールを非ヒト動物に投与することを含む、非ヒト動物における脂肪肝を予防および／または治療する方法。
【請求項１４】
マルチトールを飲食品に配合または添加することを特徴とする、機能性飲食品の製造方法。
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
転がり軸受に備えられ、ゴム材料組成物を材料とする転がり軸受用シールであって、少なくとも全光線透過率が７０％以上であるゴム材料組成物からなる成形体を有することを特徴とする転がり軸受用シール。
【請求項２】
請求項１に記載の転がり軸受用シールであって、前記ゴム材料組成物からなる成形体が芯金に接合しており、前記成形体を透して前記芯金を見ることが可能であることを特徴とする転がり軸受用シール。
【請求項３】
請求項１に記載の転がり軸受用シールを有する転がり軸受であって、前記ゴム材料組成物からなる成形体のみで形成されており、前記成形体を透して転がり軸受内部を見ることが可能であることを特徴とする転がり軸受。
【請求項４】
請求項１〜３の何れかに記載の転がり軸受用シールであって、ゴム材料組成物が、シリコーンゴム１００重量部に対して充てん剤を１０〜６０重量部含有することを特徴とする転がり軸受用シール。
【手続補正２】
【補正対象書類名】明細書
【補正対象項目名】０００２
【補正方法】変更
【補正の内容】
【０００２】
図１に断面図として示されるように、転がり軸受の一種である玉軸受１は、外輪２と、内輪３との間に、複数個のボール４を保持器５により周方向に沿って略等間隔に保持すると共に、軸受内部に封入された図示しないグリースを封止したり、軸受外部からの異物が軸受内部に侵入するのと防止する為に、軸受の片面又は両面にシール６を装着して構成される。シール６は環状であり、外輪２又は内輪３の何れかに固定されるが、外輪２に固定されるのが一般的である。シール６は、嵌合溝２ａに装着するための取付嵌合部８ａと、他方に設けられるシール溝３ａに摺接するリップ部８ｂと、取付嵌合部８ａとリップ部８ｂを連結する連結部８ｃで構成される。
【手続補正３】
【補正対象書類名】明細書
【補正対象項目名】０００３
【補正方法】変更
【補正の内容】
【０００３】
シール６を形成する材質としては、全体が金属製のものや、全体がゴム等の弾性材料からなるもの、金属性の芯金７と弾性材料とを一体に成形し、取付嵌合部８ａとリップ部８ｂとが弾性材料より形成されたものが知られているが、シール６に用いられる弾性材料は一般的にはアクリロニトリルブタジエンゴム（ＮＢＲ）より構成される。前記ＮＢＲは、可視光を透過することが出来ない為、シール６に用いた場合、外観が濃い色相のみに限定されてしまう。
【手続補正４】
【補正対象書類名】明細書
【補正対象項目名】０００７
【補正方法】変更
【補正の内容】
【０００７】
本発明は、このような課題を解決するためになされたものであり、その目的は、意匠性と、密封性を併せ持つ転がり軸受用シールを提供することにある。
上記問題を解決するために、請求項１に記載の発明は、転がり軸受に備えられ、ゴム材料組成物を材料とする転がり軸受用シールであって、少なくとも全光線透過率が７０％以上であるゴム材料組成物からなる成形体を有することを特徴としている。
また、請求項２に記載の発明は、請求項１に記載の転がり軸受用シールであって、前記ゴム材料組成物からなる成形体が芯金に接合しており、前記成形体を透して前記芯金を見ることが可能であることを特徴としている。
また、請求項３に記載の発明は、請求項１に記載の転がり軸受用シールを有する転がり軸受であって、前記ゴム材料組成物からなる成形体のみで形成されており、前記成形体を透して転がり軸受内部を見ることが可能であることを特徴としている。
また、請求項４に記載の発明は、請求項１〜３の何れかに記載の転がり軸受用シールであって、ゴム材料組成物が、シリコーンゴム１００重量部に対して充てん剤を１０〜６０重量部含有することを特徴としている。
【手続補正５】
【補正対象書類名】明細書
【補正対象項目名】０００９
【補正方法】変更
【補正の内容】
【０００９】
本発明において転がり軸受用シールに使用されるシールの種類や構造には制限はない。また、シールは、全体が後述される弾性材料で形成されていてもよく、弾性材料が芯金に接合されていてもよい。
例えば、図１に断面図として示されるように、転がり軸受の一種である玉軸受１は、外輪２と、内輪３との間に、複数個のボール４を保持器５により周方向に沿って略等間隔に保持すると共に、軸受内部に封入された図示しないグリースを封止したり、軸受外部からの異物が軸受内部に侵入するのと防止する為に、軸受の片面又は両面にシール６を装着して構成される。シール６は、外輪２の嵌合溝２ａに装着するための取付嵌合部８ａと、他方に設けられるシール溝３ａに摺接するリップ部８ｂと、取付嵌合部８ａとリップ部８ｂを連結する連結部８ｃで構成される。シール６は金属製の芯金７と、ゴム材料組成物からなる弾性部８とを一体に加硫成形して形成される。
本発明の転がり軸受用シール６に用いられるゴム材料組成物は、全光線透過率が７０％以上のゴムに、架橋剤、加硫促進剤を添加して構成され、前記以外にも、軸受のシールとして必要な特性及び透明性を損なわない範囲で、適宜、添加剤を配合しても良い。
【手続補正６】
【補正対象書類名】図面
【補正対象項目名】図１
【補正方法】変更
【補正の内容】
【図１】
2014129845.tif 000001
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
一端部に弁体を有し開閉弁方向に駆動される可動子と、前記弁体が開閉弁方向に駆動されることにより離接する弁座と、前記可動子を駆動する電磁駆動部とを備え、前記電磁駆動部が前記可動子との間に磁気吸引力を作用させる固定鉄心を有し、開弁時に前記可動子が前記固定鉄心に当接するように構成された電磁式燃料噴射弁において、
前記可動子とは異なる第２の可動部材と前記第２の可動部材を前記固定鉄心に向けて付勢する弾性部材とを備え、
前記第２の可動部材は、前記弾性部材の付勢力により、前記固定鉄心に対して連結されるとともに、前記固定鉄心から離れる方向に移動可能に構成されたことを特徴とする電磁式燃料噴射弁。
【請求項２】
請求項１に記載の電磁式燃料噴射弁において、
前記第２の可動部材と前記可動子とは、開閉弁方向において、前記固定鉄心の両側に分かれて配置されていることを特徴とする電磁式燃料噴射弁。
【請求項３】
請求項２に記載の電磁式燃料噴射弁において、
前記第２の可動部材は開閉弁方向に移動可能に構成されていることを特徴とする電磁式燃料噴射弁。
【請求項４】
請求項３に記載の電磁式燃料噴射弁において、
前記第２の可動部材は非磁性材料で形成されたことを特徴とする電磁式燃料噴射弁。
【請求項５】
請求項４に記載の電磁式燃料噴射弁において、
前記第２の可動部材は、前記可動子が前記固定鉄心に衝突した際に生じる応力波が前記固定鉄心から伝達可能なように前記固定鉄心に対して連結されていることを特徴とする電磁式燃料噴射弁。
【請求項６】
請求項５に記載の電磁式燃料噴射弁において、
前記第２の可動部材の質量は、前記可動子の質量と実質的に等しいことを特徴とする電磁式燃料噴射弁。
【請求項７】
請求項５に記載の電磁式燃料噴射弁において、
前記第２の可動部材は、前記応力波が前記固定鉄心の内部を移動して前記第２の可動部材に伝達されることにより、前記固定鉄心から離れる方向に移動するように構成され、
前記第２の可動部材の質量は、前記応力波が前記第２の可動部材に伝達されることにより前記応力波が低減する重さに設定されたことを特徴とする電磁式燃料噴射弁。
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
表面にグレーズ層を形成した支持基板と、前記グレーズ層上に配置されて発熱部となる発熱抵抗体素子であって、第１端を通電電極に接続され第２端を折り返し電極に接続されて発熱体領域を区画され前記折り返し電極は隣接する２つの発熱抵抗体素子の第２端を連結し前記通電電極および前記折り返し電極を介して通電され前記２つの発熱抵抗体素子で前記発熱部を形成する発熱抵抗体素子と、少なくとも前記通電極、前記折り返し電極および前記発熱抵抗体素子を被覆する保護層と、前記発熱抵抗体素子上でかつ前記保護層上に形成された熱伝導層とを具備するサーマルヘッドであって、
前記熱伝導層は実質的に方形パターンでなり前記２つの発熱抵抗体素子上に配置され、前記熱伝導層の前記折り返し電極側の端は前記折り返し電極上に位置していることを特徴とするサーマルヘッド。
【請求項２】
前記熱伝導層の長さＬは前記発熱抵抗体の長さＧに対して、Ｇ≦Ｌであることを特徴とする請求項１に記載のサーマルヘッド。
【請求項３】
前記熱伝導層は、前記保護層上において隣接する２つの発熱抵抗体を跨る１つの平面パターンからなり、前記平面パターンは前記折り返し電極に一部が重畳することを特徴とする請求項１または２に記載のサーマルヘッド。
【請求項４】
前記熱伝導層が前記折り返し電極に重畳する距離Ｌ１は、前記発熱抵抗体の長さＧに対して、Ｌ１≦Ｇ／３であることを特徴とする請求項３に記載のサーマルヘッド。
【請求項５】
前記熱伝導層は、前記保護層に埋設されていることを特徴とする請求項１ないし請求項４のいずれか１項に記載のサーマルヘッド。
【請求項６】
前記熱伝導層は、保護層よりも熱伝導率の高い金属または金属窒化物からなることを特徴とする請求項１ないし請求項５のいずれか１項に記載のサーマルヘッド。
【手続補正書】
【提出日】平成28年4月21日(2016.4.21)
【手続補正１】
【補正対象書類名】明細書
【補正対象項目名】００２０
【補正方法】変更
【補正の内容】
【００２０】
次に図面を用いて説明する。以下の図面において、同一符号は同一部を示す。図１は本発明の一実施態様の積層シートの模式的断面図である。この積層シート６は、内層１の両表面に接着層２ａ，２ｂを介して織物層３ａ，３ｂが貼り合わされ一体化されている。
【手続補正２】
【補正対象書類名】明細書
【補正対象項目名】００２１
【補正方法】変更
【補正の内容】
【００２１】
図２は本発明の別の実施態様の積層シートの模式的断面図である。この積層シート７は、内層１の両表面に接着層２ａ，２ｂを介して織物層３ａ，３ｂと、さらに接着層４ａ，４ｂを介してポリプロピレン系樹脂層（表皮層）５ａ，５ｂが積層一体化されている。表皮層は透明とし、内部の織物の織模様の外観とすることもできる。また、表皮層には様々な模様を印刷したり着色することもできる。
【手続補正書】
【提出日】平成28年1月7日(2016.1.7)
【手続補正１】
【補正対象書類名】明細書
【補正対象項目名】発明の名称
【補正方法】変更
【補正の内容】
【発明の名称】台紙付きラベルの製造方法
【手続補正２】
【補正対象書類名】明細書
【補正対象項目名】０００１
【補正方法】変更
【補正の内容】
【０００１】
本発明は、台紙付きラベルの製造方法に関する。
【手続補正３】
【補正対象書類名】明細書
【補正対象項目名】０００７
【補正方法】変更
【補正の内容】
【０００７】
本発明は、再剥離の際に粘着剤層やコート層が比較的残らないようにラベルを剥がすことができる台紙付きラベルの製造方法を提供することを目的とする。
【手続補正４】
【補正対象書類名】明細書
【補正対象項目名】０００８
【補正方法】変更
【補正の内容】
【０００８】
本発明に係る台紙付きラベルの製造方法は、粘着剤層が設けられた剥離シートにおける前記粘着剤層上に所定の樹脂によりコート層を形成する工程と、トナーを用いた電子写真方式で前記コート層上にラベル基材層を形成する工程と、を有し、前記所定の樹脂は、軟化点温度が前記ラベル基材層を形成する際の定着温度よりも低い樹脂であり、前記トナーには、軟化点温度が前記所定の樹脂よりも低い結着樹脂が含まれていることを特徴とする。
【手続補正５】
【補正対象書類名】明細書
【補正対象項目名】０００９
【補正方法】変更
【補正の内容】
【０００９】
また、本発明に係る他の態様の台紙付きラベルの製造方法は、粘着剤層上に所定の樹脂によりコート層が形成されたシートにおける前記コート層上に、トナーを用いた電子写真方式で少なくとも一部が前記コート層に接するようにラベル基材層を形成する工程と、前記ラベル基材層上、または、前記コート層と前記ラベル基材層との間に位置するように、表示パターン層を形成する工程と、を有し、前記所定の樹脂は、軟化点温度が前記ラベル基材層を形成する際の定着温度よりも低い樹脂であり、前記トナーには、軟化点温度が前記所定の樹脂よりも低い結着樹脂が含まれていることを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明によれば、再剥離の際に粘着剤層やコート層が比較的残らないようにラベルを剥がすことができる台紙付きラベルの製造方法を提供することができる。
【手続補正９】
【補正対象書類名】特許請求の範囲
【補正対象項目名】全文
【補正方法】変更
【補正の内容】
【特許請求の範囲】
【請求項１】
粘着剤層が設けられた剥離シートにおける前記粘着剤層上に所定の樹脂によりコート層を形成する工程と、
トナーを用いた電子写真方式で前記コート層上にラベル基材層を形成する工程と、
を有し、
前記所定の樹脂は、軟化点温度が前記ラベル基材層を形成する際の定着温度よりも低い樹脂であり、
前記トナーには、軟化点温度が前記所定の樹脂よりも低い結着樹脂が含まれていることを特徴とする台紙付きラベルの製造方法。
【請求項２】
粘着剤層上に所定の樹脂によりコート層が形成されたシートにおける前記コート層上に、トナーを用いた電子写真方式で少なくとも一部が前記コート層に接するようにラベル基材層を形成する工程と、
前記ラベル基材層上、または、前記コート層と前記ラベル基材層との間に位置するように、表示パターン層を形成する工程と、
を有し、
前記所定の樹脂は、軟化点温度が前記ラベル基材層を形成する際の定着温度よりも低い樹脂であり、
前記トナーには、軟化点温度が前記所定の樹脂よりも低い結着樹脂が含まれていることを特徴とする台紙付きラベルの製造方法。
【請求項３】
前記所定の樹脂は、軟化点温度が前記ラベル基材層を形成する際の定着温度よりも１０℃以上低い樹脂であることを特徴とする請求項１または２に記載の台紙付きラベルの製造方法。
【請求項４】
前記所定の樹脂は、アクリル樹脂であることを特徴とする請求項１乃至３の何れか１項に記載の台紙付きラベルの製造方法。
【手続補正書】
【提出日】平成28年8月8日(2016.8.8)
【手続補正１】
【補正対象書類名】特許請求の範囲
【補正対象項目名】請求項１
【補正方法】変更
【補正の内容】
【請求項１】
モータと、
該モータの回転が伝達される出力部材と、
前記モータおよび前記出力部材を内側に保持するケース体と、
を有し、
前記ケース体において、前記出力部材の回転中心軸線の延在方向の一方側の面には、前記ケース体を機器に固定するための複数の第１のねじ止め部が、前記回転中心軸線に対して直交する第１取り付け面に設けられていることを特徴とする電動開閉装置。
【手続補正２】
【補正対象書類名】特許請求の範囲
【補正対象項目名】請求項１１
【補正方法】変更
【補正の内容】
【請求項１１】
前記第１ケース部材と前記第２ケース部材とは、前記第１ねじ止め部と前記開口部との嵌合によって位置決めされ、
前記回転検出用従動歯車は、前記第１ケース部材と前記第２ケース部材とに直接または支軸を介して回転可能に支持されていることを特徴とする請求項９に記載の電動開閉装置。
【手続補正３】
【補正対象書類名】明細書
【補正対象項目名】０００７
【補正方法】変更
【補正の内容】
【０００７】
上記課題を解決するために、本発明の電動開閉装置は、モータと、該モータの回転が伝達される出力部材と、前記モータおよび前記出力部材を内側に保持するケース体と、を有し、前記ケース体において、前記出力部材の回転中心軸線の延在方向の一方側の面には、前記ケース体を機器に固定するための複数の第１ねじが各々、前記出力部材の回転中心軸線と平行な方向あるいは前記回転中心軸線に対して斜めに傾いた方向から止められる複数の第１ねじ止め部と、前記回転中心軸線に対して直交する第１取り付け面と、が設けられていることを特徴とする。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
水の落差による流水作用で汚物を押し流す洗い落し式便器であって、
ボウル形状の汚物受け面と、上縁に位置するリム部と、を備えたボウル部と、
このボウル部に洗浄水を吐水して旋回流を形成する吐水部と、
上記ボウル部の下方に入口が接続され、後方且つ上方へ延びる上昇管路と、この上昇管路と接続し且つ下方へと延びる下降管路と、を備えた排水トラップ管路と、
この排水トラップ管路の出口部と床下に設けられた床下排水管の入口部とを連結する管路を形成する排水ソケットと、を有し、
上記排水ソケットの管路の内周面には、この内周面に沿って旋回しようとする洗浄水の旋回方向の流速成分を減少させる旋回抑制手段が設けられていることを特徴とする洗い落し式便器。
【請求項２】
上記旋回抑制手段は、上記排水ソケットの管路の下流付近に設けられ、この管路の内側且つ下方に垂下する壁面を形成する垂下部材を備えている請求項１記載の洗い落し式便器。
【請求項３】
上記垂下部材は、上記排水ソケットを便器本体に取り付けた使用状態において、便器本体の前方から見て、上記排水ソケットの管路の平面断面の中心軸線に対して前側領域又は後側領域の一方側に設けられている請求項２記載の洗い落し式便器。
【請求項４】
上記垂下部材は、上記排水トラップ管路の下降管路の平面断面の中心軸線が上記排水ソケットの管路の平面断面の中心軸線よりも後側に位置する場合には、上記排水ソケットの管路の水平断面において前側領域に設けられ、上記排水トラップ管路の下降管路の平面断面の中心軸線が上記排水ソケットの管路の平面断面の中心軸線よりも前側又は同じ位置に位置する場合には、上記排水ソケットの管路の水平断面において後側領域に設けられる請求項３記載の洗い落し式便器。
【請求項５】
上記垂下部材の壁面は、上記排水ソケットの管路の平面断面において、その内周に沿ってほぼ半周に亘って形成されている請求項２乃至４の何れか１項に記載の洗い落し式便器。
【請求項６】
上記垂下部材の壁面は、その下方端部の内側面が上記排水ソケットの管路の平面断面の中央且つ下方に向かって傾斜するように形成されている請求項４又は５に記載の洗い落し式便器。
【請求項７】
上記排水ソケットは、下斜め方向へ延びるように形成された上流側管路と、この上流側管路から連続して下方に延びるように形成された下流側管路と、を備え、上記垂下部材は、上記上流側管路の底面を下斜め方向に延長した部分と上記下流側管路の側面を下方に延長した部分とが交わる位置の付近に設けられるか、又は上記交わる位置の付近よりも下方に設けられる請求項２乃至６の何れか１項に記載の洗い落し式便器。
【請求項８】
上記垂下部材は、上記排水ソケットの管路の下流付近の垂下部材取付部に別部材として取り付けられ、上記排水ソケットの垂下部材取付部は、その内周方向に沿って下向きの凸部又は上向きの凹部が複数設けられた嵌合部を備え、上記垂下部材の上端部は、その周方向に沿って上記排水ソケットの下向きの凸部又は上向きの凹部に嵌合可能に取り付けられる上向きの凹部又は下向きの凸部が複数設けられていた嵌合部を備えている請求項２乃至７の何れか１項に記載の洗い落し式便器。
【請求項９】
上記排水ソケットの垂下部材取付部の嵌合部と上記垂下部材の嵌合部のそれぞれは、上記排水ソケットの垂下部材取付部の内周方向に沿って上記排水ソケットの管路の中心軸線に対して内側と外側に二列で配列されている請求項８記載の洗い落し式便器。
【請求項１０】
上記垂下部材は、その壁面の下端から外側の上記排水ソケットの管路の内周面に向かって突出するように設けられた立壁を備えている請求項２乃至９の何れか１項に記載の洗い落し式便器。
【請求項１１】
上記排水ソケットの垂下部材取付部の嵌合部と上記垂下部材の嵌合部のそれぞれは、上記排水ソケットの垂下部材取付部の内周方向に沿って上記排水ソケットの管路の中心軸線に対して内側と外側に互い違いに二列で配列され、上記排水ソケットの垂下部材取付部の嵌合部と上記垂下部材の嵌合部とが互いに嵌合している部分は、接着剤により固定され、面一の管路面を形成する請求項９記載の洗い落し式便器。
【手続補正２】
【補正対象書類名】明細書
【補正対象項目名】０００９
【補正方法】変更
【補正の内容】
【０００９】
本発明において、好ましくは、上記垂下部材は、上記排水トラップ管路の下降管路の平面断面の中心軸線が上記排水ソケットの管路の平面断面の中心軸線よりも後側に位置する場合には、上記排水ソケットの管路の水平断面において前側領域に設けられ、上記排水トラップ管路の下降管路の平面断面の中心軸線が上記排水ソケットの管路の平面断面の中心軸線よりも前側又は同じ位置に位置する場合には、上記排水ソケットの管路の水平断面において後側領域に設けられる。
このように構成された本発明においては、排水トラップ管路の下降管路の平面断面の中心軸線が排水ソケットの管路の平面断面の中心軸線よりも後側に位置する場合には、垂下部材を排水ソケットの下流付近の管路の水平断面において前側領域に設け、排水トラップ管路の下降管路の平面断面の中心軸線が排水ソケットの管路の平面断面の中心軸線よりも前側又は同じ位置に位置する場合には、垂下部材を排水ソケットの管路の水平断面において後側領域に設けることにより、排水トラップ管路の下降管路がどのような態様であっても、旋回流で便器を洗浄した洗浄水が排水ソケットの管路の内周面に沿って旋回することを確実に抑制することができるため、洗浄水が排水ソケットから床下排水管へ偏った状態で流入すること防ぐことができる。したがって、床下排水管が屈曲部分を有している場合に、排水ソケットから床下排水管に偏って流入した洗浄水が床下排水管の屈曲部分をシールして負圧が発生することを防ぐことができ、洗い落し式便器の封水を引き込むことにより封水水位が低下することを防ぐことができるため、節水化できる。
【手続補正３】
【補正対象書類名】明細書
【補正対象項目名】００１１
【補正方法】変更
【補正の内容】
【００１１】
本発明において、好ましくは、上記垂下部材の壁面は、その下方端部の内側面が上記排水ソケットの管路の平面断面の中央且つ下方に向かって傾斜するように形成されている。
このように構成された本発明においては、垂下部材の壁面の下方端部の内側面が排水ソケットの管路の平面断面の中央且つ下方に向かって傾斜するように形成されていることにより、旋回流で便器を洗浄した洗浄水が排水ソケットの管路の内周面に沿って旋回するのをより確実に抑制し、洗浄水を垂下部材の壁面に沿って排水ソケットの管路のほぼ中央により確実に導くことができ、洗浄水が排水ソケットから床下排水管へ偏った状態で流入すること確実に防ぐことができる。したがって、床下排水管が屈曲部分を有している場合に、排水ソケットから床下排水管に偏って流入した洗浄水が床下排水管の屈曲部分をシールして負圧が発生することを確実に防ぐことができ、洗い落し式便器の封水を引き込むことにより封水水位が低下することを確実に防ぐことができるため、節水化できる。
【手続補正書】
【提出日】平成28年8月26日(2016.8.26)
【手続補正１】
【補正対象書類名】特許請求の範囲
【補正対象項目名】請求項３
【補正方法】変更
【補正の内容】
【請求項３】
請求項１又は請求項２に記載する自動水栓装置において、
前記ノイズ判別動作で判別したノイズに基づいて、
前記制御手段は、前記投光手段のパルス投光の所定の投光間隔を変更する、もしくは、
前記検出体の有無を判定する条件を変更する、ことを選択することを特徴とする自動水栓装置。
【手続補正２】
【補正対象書類名】明細書
【補正対象項目名】００１４
【補正方法】変更
【補正の内容】
【００１４】
請求項３記載の発明は、請求項１又は請求項２に記載する自動水栓装置において、前記ノイズ判別動作で判別したノイズに基づいて、前記制御手段は、前記投光手段のパルス投光の所定の投光間隔を変更する、もしくは、前記検出体の有無を判定する条件を変更する、ことを選択する。
【手続補正書】
【提出日】平成28年8月26日(2016.8.26)
【手続補正１】
【補正対象書類名】特許請求の範囲
【補正対象項目名】請求項３
【補正方法】変更
【補正の内容】
【請求項３】
前記水流変更手段は、前記排水トラップ内の前記折返流路の上流側に配設され、前記排水トラップの流れ方向を軸として洗浄水を旋回させる螺旋構造であることを特徴とする請求項２記載の小便器。
【手続補正２】
【補正対象書類名】明細書
【補正対象項目名】００１３
【補正方法】変更
【補正の内容】
【００１３】
本発明の選択的な態様においては、前記水流変更手段は、前記排水トラップ内の前記折返流路の上流側に配設され、前記排水トラップの流れ方向を軸として洗浄水を旋回させる螺旋構造であることを特徴とする小便器である。